(57)【要約】      （修正有）【課題】長傘を比較的安定した状態で保持可能である傘立てを提供する。また、長傘に加えて折り畳み傘を保持可能である傘立てを提供する。【解決手段】傘立て１０は、長傘が通され長傘を垂直に保持するための複数の第１の孔１６が設けられた板状部１２ａを有する保持部材１２と、保持部材１２を傾斜した状態に支持するための支持部材１４とを備える。複数の第１の孔１６は多段に配置され、第１の孔１６の横断面の大きさが最上段から最下段に向けて漸減している。保持部材１２は、板状部１２ａに設けられ、最下段の第１の孔１６の下方に位置する、折り畳み傘が通される１又は複数の第２の孔１８を有する。【選択図】図１
0003214862.tif 000002
【実用新案登録請求の範囲】
【請求項１】
長傘が通され該長傘を垂直に保持するための複数の第１の孔が設けられた板状部を有する保持部材と、
前記保持部材を支持し前記保持部材の板状部を傾斜した状態におくための支持部材とを備え、
複数の第１の孔は多段に配置され、前記第１の孔の横断面の大きさが最上段から最下段に向けて次第に減少している、傘立て。
【請求項２】
前記保持部材は、さらに、その板状部に設けられ前記最下段の第１の孔の下方に位置する、折り畳み傘が通され該折り畳み傘を垂直に保持するための１又は複数の第２の孔を有する、請求項１に記載の傘立て。
【請求項３】
前記第２の孔の横断面の大きさは前記最上段に位置する第１の孔の横断面の大きさより大きい、請求項２に記載の傘立て。
【請求項４】
前記保持部材は、さらに、その板状部に連なりかつ各第１の孔及び各第２の孔にそれぞれ連通する第１の筒部及び第２の筒部を有し、
前記第１の筒部及び前記第２の筒部は、それぞれ、各第１の孔及び各第２の孔と軸線を共通にしかつ同じ大きさの横断面を有する、請求項２又は３に記載の傘立て。
【請求項５】
前記保持部材及び前記支持部材に支持され最下方に位置する前記第２の孔の下方に位置する水受けトレイを備える、請求項２〜４のいずれか１項に記載の傘立て。
【請求項６】
前記支持部材及び前記水受けトレイは前記保持部材に折り畳み可能に取り付けられている、請求項５に記載の傘立て。
【考案の詳細な説明】
【技術分野】
【０００１】
本考案は傘立てに関する。
【背景技術】
【０００２】
従来、長傘（親骨を折り畳むことができない傘）が通され該長傘を垂直に保持するための複数の孔が設けられた板状の保持部材と、該保持部材を傾斜した状態に支持する支持部材とを備え、前記複数の孔が多段に配置されている傘立てが提案されている。これによれば、前記保持部材が傾斜した状態に支持されるため、これを水平に支持する場合と比べて、傘立てが占める奥行の寸法を比較的小さいものとすることができる。
【０００３】
ところで、前記従来の傘立てにおいては、保持部材の複数の孔の大きさ(より詳細には孔の横断面の大きさ)が同一に設定されている。他方、長傘にあってはこれを閉じたときの太さがその取手部（ハンドル）の側からその先端部の側に向けて漸減している。このことから、上段の孔に通される長傘はその取手部に近い比較的太い箇所で保持され、下段の孔に通される長傘はその取手部から離れた比較的細い箇所で保持される。このため、下段の孔に通される長傘の周囲の空間すなわち遊びが比較的大きく、長傘を垂直に保持する上での安定性に欠ける。また、前記従来の傘立ては、閉じたときに長傘に比べて長さが短い状態となる折りたたみ傘（親骨を折り畳むことができる傘）の保持機能を有しない。
【先行技術文献】
【特許文献】
【０００４】
【特許文献１】特開２００５−３４２６２号公報
【考案の概要】
【考案が解決しようとする課題】
【０００５】
本考案は、長傘を比較的安定した状態で保持可能である傘立てを提供する。また、本考案は、長傘に加えて折り畳み傘を保持可能である傘立てを提供する。
【課題を解決するための手段】
【０００６】
本考案に係る傘立ては、長傘が通され該長傘を垂直に保持するための複数の第１の孔が設けられた板状部を有する保持部材と、前記保持部材を支持し前記保持部材の板状部を傾斜した状態におくための支持部材とを備える。複数の第１の孔は多段に配置され、前記第１の孔の横断面の大きさは最上段から最下段に向けて次第に減少している。
【０００７】
前記傘立ては床や地面のような設置面上に置かれる。長傘は閉じた状態において前記傘立ての保持部材の第１の孔に通され垂直に保持され、長傘はその先端部において前記設置面、あるいは後記水受けトレイに受け止められる。本考案によれば、前記保持部材の板状部を傾斜した状態におくことから、比較的奥に位置する前記第１の孔への長傘の挿通を容易に行うことができ、また、複数の第１の孔に通された複数の長傘から特定の長傘の確認を容易にすることができる。
【０００８】
本考案にあっては、長傘が通される複数の第１の孔の横断面の大きさが、最上段から最下段に向けて次第に減少するように設定されている。このことから、上段の比較的大きい第１の孔に通される長傘はそのハンドルに近い比較的太い箇所において保持され、また、下段の比較的小さい第１の孔に通される長傘はそのハンドルからより離れた比較的細い箇所において保持される。このため、下段の第１の孔に通される長傘は上段の第１の孔に通される長傘と同様に孔中における遊びが比較的小さく、長傘は各第１の孔において垂直にかつ安定的に保持される。
【０００９】
前記保持部材は、さらに、その板状部に設けられ前記最下段の第１の孔の下方に位置する、折り畳み傘が通され該折り畳み傘を垂直に保持するための１又は複数の第２の
孔を有するものとすることができる。これによれば、前記第２の孔はその高さが最も低い位置、したがって前記設置面に最も近い位置において、閉じた状態において長傘より短い長さを有する折り畳み傘を垂直にまた安定的に保持することが可能である。
【００１０】
前記第２の孔の横断面の大きさは前記最上段に位置する第１の孔の横断面の大きさより大きいものに設定される。これにより、一般的に長傘と比べて閉じたときの太さが大きい折り畳み傘の前記第２の孔への挿通をより容易に行うことができる。
【００１１】
前記保持部材は、好ましくは、さらに、その板状部に連なりかつ各第１の孔及び各第２の孔にそれぞれ連通する第１の筒部及び第２の筒部を有し、前記第１の筒部及び第２の筒部が、それぞれ、各第１の孔及び各第２の孔と軸線を共通にしかつ同じ大きさの横断面を有するものとすることができる。前記第１の筒部及び第２筒部はそれぞれ前記第１の孔及び第２の孔に通された長傘及び折り畳み傘をより確実に垂直に保持することに寄与する。
【００１２】
前記傘立ては、好ましくは、前記保持部材及び前記支持部材に支持され最下方に位置する前記第２の孔の下方に位置する水受けトレイを備える。これによれば、前記第１の孔及び第２の孔にそれぞれ通された長傘及び折り畳み傘を前記水受けトレイ上に受け、また、前記傘から滴り落ちる水を前記水受けトレイ上に受けることができる。
【００１３】
前記支持部材及び前記水受けトレイは前記保持部材に折り畳み可能に取り付けられているものとすることができる。折り畳みにより、前記傘立てをその持ち運びや保管に便利なコンパクトな形態とすることができる。
【図面の簡単な説明】
【００１４】
【図１】本考案の一の実施形態に係る傘立ての正面の側から見た斜視図である。
【図２】閉じた状態の長傘及び折り畳み傘が立てられた傘立ての斜視図である。
【図３】閉じた状態の長傘及び折り畳み傘が立てられた傘立てをその背面の側から見た斜視図である。
【図４】折り畳みの途上にある傘立ての斜視図である。
【図５】他の実施の形態に係る傘立ての正面の側から見た斜視図である。
【考案を実施するための形態】
【００１５】
図１〜図３を参照すると、本考案の一の実施形態に係る傘立てが全体に符号１０で示されている。傘立て１０は床や地面のような水平な設置面Ｆ上に設置される。
【００１６】
傘立て１０は、設置面Ｆ上に設置された状態で見て、閉じられた状態（又は畳まれた状態）にある長傘Ｌ及び折り畳み傘Ｓ（以下、単に長傘Ｌ、折り畳み傘Ｓと称する。）（図２及び図３参照）を垂直に、すなわち鉛直方向に向けて保持する保持部材１２と、該保持部材を支持しその後述する板状部１２ａを傾斜した状態すなわち設置面Ｆに対して非直角に交差する状態におく支持部材１４とを備える。保持部材１２の設置面Ｆに対する交差角度すなわち傾斜角度は、好ましくは、４０〜６０度に設定される。
【００１７】
傘立て１０は、好ましくは、さらに水受けトレイ１５を備える。また、傘立て１０に立て掛けられる長傘Ｌはその取手部（ハンドル）Ｌ１の側からその先端部Ｌ２の側へと長手方向に漸減する太さを有する。他方、折り畳み傘Ｓは長傘Ｌと比べて長さが短く、また、その取手部Ｓ１の側からその先端部Ｓ２の側に向けてほぼ同じである太さを有し、一般的に、長傘Ｌより大きい太さ寸法を有する。
【００１８】
保持部材１２は板状部１２ａを有する。図示の例にあっては、さらに、板状部１２ａに連なりその周囲を取り巻く板状の側部１２ｂを有する。図示の板状部１２ａは、全体に矩形を呈する平面形状を有する。板状部１２ａの平面形状は、図示の例に代えて、他の任意の形状、例えば他の多角形、円形、楕円形等を呈するものとすることができる。
【００１９】
板状部１２ａには複数（図示の例では全２０個）の孔（第１の孔）１６と、複数（同６個）の他の孔（第２の孔）１８とが設けられている。複数の孔１６、１８は、それぞれ、長傘Ｌ及び折り畳み傘Ｓの挿通を許す直径又は大きさを有する。図示の例に代えて、折り畳み傘Ｓが通される孔１８の数を１とすることができる。また、孔１８が設けられることなく、複数の孔１６のみが設けられたものとすることができる。
【００２０】
孔１６、１８はそれぞれ軸線ｌ１、ｌ２を有し、また、軸線ｌ１、ｌ２に対してそれぞれ直交する円形の横断面を有する。孔１６、１８の軸線ｌ１、ｌ２は、傘立て１０が設置面Ｆ上に設置された図１に示す状態において、前記鉛直方向へ伸びる。孔１６、１８は、図示の例に代えて、他の形状の横断面、例えば、図５に示すように、全体に矩形状を呈する横断面を有するものとすることができる。
【００２１】
傾斜した状態にある板状部１２ａの複数の孔１６は多段に、図示の例では上方から下方に向けて３つの段に配置されている。前記３つの段は、傘立て１０が設置面Ｆ上に置かれた状態で見て、互いに平行にまた水平に伸びている。複数の孔１６の横断面の大きさは最上段から最下段に向けて次第に減少している。すなわち、最上段に配置された複数（同７個）の孔１６が最も大きい直径又は大きさを有する。また、最下段に配置された複数（同７個）の孔１６が最も小さい直径又は大きさを有し、上下両段間に位置する中段に配置された複数（同６個）の孔１６が前記最大及び最小の両直径の中間の直径又は大きさを有する。
【００２２】
長傘Ｌ及び折り畳み傘Ｓは、それぞれ、これらの取手部（ハンドル）Ｌ１、Ｓ１を上にして、設置面Ｆ上の傘立て１０の孔１６及び孔１８に通される。孔１６及び孔１８に通された長傘Ｌ及び折り畳み傘Ｓはそれぞれ垂直にすなわち前記鉛直方向へ伸びるように保持部材１２の板状部１２ａに保持され、これらの先端部Ｌ２、Ｓ２において、最下方の孔１８より下方に位置する水受けトレイ１５に、また、水受けトレイ１５が設けられない場合にあっては設置面Ｆに受け止められる。なお、孔１８が設けられない場合にあっては、水受けトレイ１５は、最下段の孔１６の下方に配置される。
【００２３】
異なる高さ位置にある３つの段のうちの最上段の孔１６、中段の孔１６及び最下段の孔１６の直径又は大きさは、それぞれ、孔１６に通される長傘Ｌの長手方向に関する３つの箇所における一般的な又は平均的な太さを考慮して定められる。これによれば、孔１６の直径又は大きさを同一に設定する場合と比べて、孔１６に通された長傘Ｌの周囲に存する空間である遊びをより小さいものとすることができ、これにより、長傘Ｌを垂直に、また、より安定的に保持することができる。図示の例においては、最上段の孔１６、中断の孔１６及び最下段の孔１６の直径がそれぞれ５０ｍｍ、４５ｍｍ及び４０ｍｍに設定されている。
【００２４】
他方、折り畳み傘Ｓの太さは一般的に長傘Ｌの太さより大きい。このことから、折り畳み傘Ｓが通される複数の孔１８の直径又は大きさが、長傘Ｌが通される最上段の孔１６の直径又は大きさより大きいものに設定されている。図示の例においては、孔１８の直径が６０ｍｍに設定されている。また、複数の孔１８は、長傘Ｌのための最下段の孔１６の下方に配置されている。図示の例にあっては、複数の孔１８は、孔１６のための前記複数の段と平行な１つの段に配列されている。孔１８を長傘Ｌが通される最下段の孔１６よりもさらに下方に配置することにより、孔１８と折り畳み傘Ｓを受ける水受けトレイ１５又は設置面Ｆとの間の距離又は高さを折り畳み傘Ｓの比較的短い長さに見合った比較的小さいものとし、これにより、折り畳み傘Ｓを垂直にまたより安定的に保持することができる。
【００２５】
保持部材１２は、好ましくは、その板状部１２ａに連なりかつ各孔１６及び各孔１８にそれぞれ連通する筒部（第１の筒部）１２ｃ及び筒部（第２の筒部）１２ｄを有する。筒部１２ｃ及び筒部１２ｄは、それぞれ、各孔１６及び各孔１８と軸線を共通にしかつ同じ直径（より正確には内径）又は大きさの横断面を有する。各筒部１２ｃ、１２ｄは、それぞれ、板状部１２ａから下方へ水受けトレイ１５又は設置面Ｆの上方位置まで伸びている。筒部１２ｃ、１２ｄは、これらにそれぞれ通される長傘Ｌ、折り畳み傘Ｓの垂直保持に寄与する。筒部１２ｃ、１２ｄは、板状部１２ａからその上方に向けて伸びるようにしてもよいが、見栄えを考慮して、図示の例におけるように板状部１２ａからその下方へ伸びるようにすることが望ましい。
【００２６】
なお、３段の複数の孔１６は、図１に示す例において、千鳥状に配置されている。この例に代えて、図５に示す例におけるように、整列状態にあるように配置することが可能である。また、孔１６、１８の横断面は、例えば多角形のような他の形状を有するものとすることができる。
【００２７】
保持部材１２を支持する支持部材１４は、図示の例にあっては２つの棒状の脚２０からなる。両脚２０は、これらの一端部（上端部）２０ａにおいて、保持部材１２の側部１２ｂにその互いに相対する２か所で、各段における孔１６の配列方向(各段の伸長方向)へ伸びる軸線（揺動軸線）の周りに揺動可能にそれぞれ取り付けられている。両脚２０の他端部（下端部）２０ｂは、設置面Ｆに接する。支持部材１４は、図示の例に代えて、例えば１つの棒状の脚、１つの板状の脚等（図示せず）からなるものとすることができる。なお、図示の例では、保持部材１２の側部１２ｂにおける下方の２か所に、２つの弾性体からなるブロック片２２が取り付けられている。保持部材１２は、支持部材１４に傾斜状態に支持されるとき、両ブロック片２２を介して、設置面Ｆに接する。
【００２８】
図３に示すように、水受けトレイ１５は、保持部材１２及び支持部材１４に支持され最下方に位置する孔１８の下方に位置する。
【００２９】
図示の水受けトレイ１５は、長傘Ｌ及び折り畳み傘Ｓの先端部を受け止める矩形状の底部１５ａと、該底部の周囲を矩形状に取り囲む側部１５ｂと、該側部に沿って伸びる矩形状の鍔部１５ｃとを有する。水受けトレイ１５の底部１５ａは、各長傘Ｌの先端部Ｌ２及び複数の折り畳み傘Ｓの先端部Ｓ２をそれぞれ受け入れる複数の区画２４及び１つの区画２６を有するものとすることができる。また、好ましくは、底部１５ａに水抜き穴２８が設けられる。
【００３０】
図示の例において、水受けトレイ１５はその側部１５ｂの２か所（より詳細には前記矩形の互いに相対する二辺上に位置する２か所）において、両脚２０の揺動軸線と平行に伸びる一対の軸部材（図示せず）を介して、保持部材１２の側部１２ｂに取り付けられている。これにより、水受けトレイ１５は保持部材１２に対して前記一対の軸部材の周りに揺動可能である。
【００３１】
水受けトレイ１５は、また、その鍔部１５ｃの一部分において、両脚２０をこれらの他端部２０ｂの近傍において相互に連結する棒状の連結部材３２に載置されている。さらに、水受けトレイ１５は、その側部１５ｂの他の２か所（前記矩形の互いに相対する二辺上に位置する他の２か所）において、２つのリンク部材３４（図４参照）を介して、連結部材３２に連結されている。両リンク部材３４は、これらの両端部において、水受けトレイ１５及び連結部材３２に対して両脚２０の揺動軸線と平行な軸線の周りに揺動可能である。
【００３２】
これによれば、図４に示すように、水受けトレイ１５を保持部材１２に向けて揺動させるとき、両脚２０がこれに連動する。すなわち、両脚２０が保持部材１２に向けて揺動する。これにより、支持部材１４及び水受けトレイ１５が保持部材１２に対して折り畳まれた状態におかれる。折り畳みの状態にある傘立て１０は、全体にコンパクトであり、その保管、運搬等に便利である。
【００３３】
さらに、好ましくは、水受けトレイ１５は、その鍔部１５ｃに連なる取手３０を有する。取手３０は、両脚２０間のほぼ中間に位置する。
【符号の説明】
【００３４】
１０  傘立て
１２  保持部材
１２ａ  板状部
１２ｃ  筒部（第１の筒部）
１２ｄ  筒部（第２の筒部）
１４  支持部材
１５  水受けトレイ
１６  長傘が通される孔（第１の孔）
１８  折り畳み傘が通される孔（第２の孔）
２０  脚
Ｌ    長傘
Ｓ    折り畳み傘
【図１】
0003214862.tif 000003
【図２】
0003214862.tif 000004
【図３】
0003214862.tif 000005
【図４】
0003214862.tif 000006
【図５】
0003214862.tif 000007